(57)【要約】  通信装置（１０）は、上位網から受信した報知情報に、該報知情報の種別に応じた処理を行った処理済み報知情報に、該報知情報を識別する識別情報を付加する付加部（１４）と、付加部により識別情報が付加された処理済み報知情報を、無線回線に接続する第２の通信装置（２０）に送信する送信部（１５）と、を有する。付加部は、処理済み報知情報に、他の通信装置が無線回線に送信する優先順位を指定する、報知情報ごとの所定の優先度情報をさらに付加する。
2020065725.tif 000002
【特許請求の範囲】
【請求項１】
上位網から受信した報知情報に、該報知情報の種別に応じた処理を行った処理済み報知情報に、該報知情報を識別する識別情報を付加する付加部と、
前記付加部により前記識別情報が付加された処理済み報知情報を、無線回線に接続するする第２の通信装置に送信する送信部と、
を有することを特徴とする通信装置。
【請求項２】
前記付加部は、前記処理済み報知情報に、前記第２の通信装置が無線回線を用いて送信する優先順位を示す、報知情報ごとの所定の優先度情報をさらに付加することを特徴とする請求項１に記載の通信装置。
【請求項３】
上位網から送信された報知情報に、該報知情報を識別する識別情報が付加され、該報知情報の種別に応じた処理が行われた処理済み報知情報を受信する受信部と、
受信した複数の前記処理済み報知情報のそれぞれに付加されている前記識別情報を用いて、前記処理済み報知情報を識別する識別部と、
を備えることを特徴とする通信装置。
【請求項４】
前記識別部は、受信した複数の前記処理済み報知情報のうち重複する前記処理済み報知情報を制御することを特徴とする請求項３に記載の通信装置。
【請求項５】
前記識別部は、さらに、前記処理済み報知情報に付加されている、無線回線を用いて送信する優先順位を示す、報知情報ごとの所定の優先度情報を用いて、無線回線を用いて送信する優先順位を制御することを特徴とする請求項３または４に記載の通信装置。
【請求項６】
第１の通信装置と、第２の通信装置とを有する無線通信システムであって、
前記第１の通信装置は、
上位網から受信した報知情報に、該報知情報の種別に応じた処理を行った処理済み報知情報に、該報知情報を識別する識別情報を付加する付加部と、
前記付加部により前記識別情報が付加された処理済み報知情報を、無線回線に接続する前記第２の通信装置に送信する送信部と、
を有し、
前記第２の通信装置は、
前記第１の通信装置から送信された、前記識別情報が付加された処理済み報知情報を受信する受信部と、
受信した複数の前記処理済み報知情報のそれぞれに付加されている前記識別情報を用いて、前記処理済み報知情報を識別する識別部と、
を有することを特徴とする無線通信システム。
【発明の詳細な説明】
【技術分野】
【０００１】
本発明は、通信装置及び無線通信システムに関する。
【背景技術】
【０００２】
現在、標準化団体である３ＧＰＰ（3rd  Generation  Partnership  Project）では、第５世代移動通信システム（５Ｇ）の早期導入に向け、５Ｇの要求条件を満たす無線アクセスネットワークの要素技術が検討されている。【０００３】
５Ｇモバイルネットワークでは、メッセージ・トラフィックの増大に対応するため、基地局における処理の集中と分散が検討されている。例えば、基地局における処理の集中と分散の手法として、ＣＵ（Central  Unit）／ＤＵ（Distributed  Unit）分離が検討されている。すなわち、ＣＵとＤＵとの１またはＮ対１またはＮの組み合わせで、論理的な基地局であるｇＮＢ（next  generation  Node  B）が構成される。ＣＵ／ＤＵ分離では、メッセージの処理をプロトコルの階層でノード毎に分離し、上位プロトコルをＣＵで処理し、下位プロトコルをＤＵで処理する。【０００４】
ｇＮＢでは、上位装置のＡＭＦ（Access  and  Mobility  Management  Function）からWrite-Replace  Warning  Request等のＰＷＳ（Public  Warning  System）メッセージを受信した場合に、ＣＵからＤＵにはＰＷＳメッセージを識別する情報が通知されない。例えば、ＣＵは、Write-Replace  Warning  Requestを受信した場合に、ＤＵがそのまま無線区間に送信するように、情報を一つにまとめている。また、ＣＵは、PWS  Cancel  Requestを受信した場合に、ＤＵに通知する情報から、ＰＷＳメッセージを識別する情報を削除する。
【先行技術文献】
【特許文献】
【０００５】
【特許文献１】国際公開第２０１５／１８６２９１号
【特許文献２】特開２０１２−１６５１９７号公報
【特許文献３】特開２００４−２７４６９３号公報
【非特許文献】
【０００６】
【非特許文献１】3GPP  TR  38.801  V14.0.0（2017-03）
【非特許文献２】3GPP  TDoc  R3-183486（2018-05）
【発明の概要】
【発明が解決しようとする課題】
【０００７】
ところで、ｇＮＢが複数のＰＷＳメッセージを受信した場合に、ＤＵは、重複したＰＷＳメッセージの情報を無線区間に送信しないようにしたり、無線区間のリソースに応じて優先度の低いＰＷＳメッセージの情報の無線区間への送信を止めたりすることが重要である。また、ｇＮＢが受信中の複数のＰＷＳメッセージのうちの一部の停止を指示された場合に、ＤＵは、停止対象のＰＷＳメッセージを特定することが重要である。【０００８】
しかしながら、ＣＵが一つにまとめた情報をそのままＤＵが無線区間に送信する場合には、ＤＵが複数のＰＷＳメッセージの重複判定や優先度判定を行うことは困難である。また、ＤＵは、ＰＷＳメッセージを識別する情報がないと、停止対象のＰＷＳメッセージを特定することが困難である。【０００９】
開示の技術は、複数のＰＷＳメッセージを識別して処理を行うことができる通信装置及び無線通信システムを提供することを目的とする。
【課題を解決するための手段】
【００１０】
本願の開示する通信装置は、一つの態様において、上位網から受信した報知情報に、該報知情報の種別に応じた処理を行った処理済み報知情報に、該報知情報を識別する識別情報を付加する付加部と、前記付加部により前記識別情報が付加された処理済み報知情報を、無線回線の制御を行う通信装置に送信する送信部と、を有する。
【発明の効果】
【００１１】
本願の開示する通信装置の一つの態様によれば、複数のＰＷＳメッセージを識別して処理を行うことができるという効果を奏する。
【図面の簡単な説明】
【００１２】
【図１】図１は、実施例に係る無線通信システムの構成例を示す図である。
【図２】図２は、実施例におけるＰＷＳメッセージの処理の一例を説明するための図である。
【図３】図３は、実施例に係る無線通信システムにおけるＰＷＳメッセージの処理の具体例を説明するための図である。
【図４】図４は、実施例に係るｇＮＥの機能的構成の一例を示す図である。
【図５】図５は、実施例における優先度情報のデータ構成の一例を示す図である。
【図６】図６は、実施例におけるＣＵの動作の具体例を説明するための図である。
【図７】図７は、実施例におけるｇＮＥの動作の具体例を説明するための図である。
【図８】図８は、実施例におけるＲＲＣ送信ＰＷＳ一覧のデータ構成の一例を示す図である。
【図９】図９は、実施例における無線通信システムの動作の一例を説明するためのシーケンス図である。
【図１０】図１０は、実施例におけるＤＵの動作の一例を説明するためのフローチャートである。
【図１１】図１１は、実施例におけるＤＵの動作の一例を説明するためのフローチャートである。
【図１２】図１２は、ｇＮＥのハードウェア構成例を示す図である。
【発明を実施するための形態】
【００１３】
以下に、本願の開示する通信装置及び無線通信システムの実施例を図面に基づいて詳細に説明する。なお、以下の実施例により開示技術が限定されるものではない。また、実施例において同等の機能を有する構成には同一の符号を付し、重複する説明は省略される。
【実施例】
【００１４】
図１は、実施例に係る無線通信システム１の構成例を示す図である。図１に示す無線通信システム１は、ＣＢＣ（Cell  Broadcast  Center）２と、ＡＭＦ３と、ｇＮＢ４と、ＵＥ（User  Equipment）５とを有する。ＣＢＣ２は、緊急地震速報等の報知情報を配信する同報配信装置であり、気象庁等の情報配信元から情報提供を受けて、メッセージ作成と配信先の決定とを行う。ＡＭＦ３は、モビリティ管理を司り、該当エリアのｇＮＢ４にＰＷＳメッセージを送信する。【００１５】
ｇＮＢ４は、論理的な無線基地局であり、ＣＵ１０とＤＵ２０とを有する。ＣＵ１０は、ＡＭＦ３あるいはＤＵ２０から受信したメッセージの上位プロトコルの処理を行う。本実施例では、ＣＵ１０は、ＲＲＣ（Radio  Resource  Control）およびＰＤＣＰ（Packet  Data  Convergence  Protocol）の処理を行う。ＤＵ２０は、ＣＵ１０あるいはＵＥ５から受信したメッセージの下位プロトコルの処理を行う。本実施例では、ＤＵ２０は、ＲＬＣ（Radio  Link  Control）、ＭＡＣ（Medium  Access  Control）、およびＰＨＹ（PHYsical  layer）の処理を行う。なお、ＣＵ１０とＤＵ２０とのインタフェースはＦ１と呼ばれる。また、ＡＭＦ３とＣＵ１０とのインタフェースはＮ２と呼ばれる。【００１６】
ここで、図２は、実施例におけるＰＷＳメッセージの処理の一例を説明するための図である。図２には、ＰＷＳメッセージとして、Write-Replace  Warning  Requestが例示されている。その他のＰＷＳメッセージとしては、Write-Replace  Warning  Response、PWS  Cancel  Request、PWS  Cancel  Response、PWS  Restart  Indication、およびPWS  Failure  Indication等がある。【００１７】
図２に示すように、ｇＮＢ４では、ＣＵ１０が、ＡＭＦ３から受信したWrite-Replace  Warning  Requestの情報要素のうち、Message  IdentifierおよびSerial  Numberを含むＲＲＣレベルの情報をPWS  System  Informationにまとめる。そして、ＤＵ２０は、ＤＵ２０から受信したPWS  System  Informationをそのまま無線区間に送信することにより、ＵＥ５にメッセージを配信する（非特許文献２参照）。【００１８】
ここで、Message  Identifierとは、メッセージ種別を表す情報であり、Serial  Numberは、同一のメッセージ種別のうちでメッセージを識別する識別情報である。つまり、Message  IdentifierとSerial  Numberとの組み合わせにより、ＰＷＳメッセージを識別することができる。【００１９】
一方、４Ｇ規格のＬＴＥ（Long  Term  Evolution）において、ｅＮＢ（無線基地局）は、ＭＭＥ（Mobility  Management  Entity）から複数のＰＷＳメッセージを受信する場合がある。例えば、多数のＭＭＥとの間で、フルメッシュで接続するＳ１−Ｆｌｅｘが実施されているｅＮＢでは、異なるＭＭＥから同一のＰＷＳメッセージを受信する場合がある。また、同一のＭＭＥから、送受もれを防止するために複数回にわたって同一のＰＷＳメッセージが送信される場合がある。【００２０】
ｅＮＢは、複数の同一のWrite-Replace  Warning  Requestを重複して受信した場合に、Message  IdentifierとSerial  Numberとの組み合わせを用いて重複判定を行って、２つ目以降の同一のメッセージを無線区間に送信しないようにしている。【００２１】
また、ｅＮＢは、複数の異なるWrite-Replace  Warning  Requestを受信した場合に、Message  IdentifierとSerial  Numberとの組み合わせを用いて優先度を判定し、無線区間のリソースに応じて、優先度が高い順にメッセージを無線区間に送信している。【００２２】
これに対し、実施例に係る無線通信システム１において、ｇＮＢ４が複数のWrite-Replace  Warning  Requestを受信した場合に、図２に示した処理では、ＤＵ２０は、Message  IdentifierおよびSerial  Numberがわからないため、重複判定や重要度の判定を行うことが困難である。【００２３】
また、実施例に係る無線通信システム１において、ｇＮＢ４が複数のWrite-Replace  Warning  Requestを受信中に、その一部の停止を指示するPWS  Cancel  Requestを受信した場合に、ＤＵ２０が停止対象のＰＷＳメッセージを特定することが重要である。【００２４】
そこで、実施例に係る無線通信システム１では、後述するように、ＣＵ１０が、ＤＵ２０に送信するＰＷＳメッセージに、Message  IdentifierおよびSerial  Number等のＰＷＳメッセージを識別するＰＷＳ識別子を含める。これにより、実施例に係る無線通信システム１において、ＤＵ２０が、例えば、受信した複数のWrite-Replace  Warning  Requestの重複判定を行って、無線区間への不要なメッセージの送信を抑制することが可能となる。また、ＤＵ２０が、例えば、受信したPWS  Cancel  Requestの停止対象のＰＷＳメッセージを特定することが可能となる。【００２５】
また、ＣＵ１０は、ＤＵ２０に送信するＰＷＳメッセージに、簡易に優先度の判定を行うための情報要素（Priority  Indicator）を含める。これにより、ＤＵ２０が、例えば、受信した複数のWrite-Replace  Warning  Requestの優先度の判定を行って、無線区間のリソースに応じて、優先度の高いメッセージを確実に送信することが可能となる。【００２６】
ここで、図３は、実施例に係る無線通信システム１におけるＰＷＳメッセージの処理の具体例を説明するための図である。図３（ａ）に示すように、ＡＭＦ３との間でＮ２−Ｆｌｅｘが実施されているＣＵ１０では、異なるＡＭＦ３から同一のＰＷＳメッセージを重複して受信する場合がある。また、図３（ｂ）に示すように、ＣＵ１０との間でＦ１−Ｆｌｅｘが実施されているＤＵ２０では、異なるＣＵ１０から同一のＰＷＳメッセージを重複して受信する場合がある。このような場合に、ＤＵ２０は、ＰＷＳ識別子を用いて重複判定を行うことが可能となる。【００２７】
また、図３（ｃ）に示すように、ＤＵ２０は、複数の異なるＰＷＳメッセージを同時に受信した場合に、ＰＷＳ識別子とPriority  Indicatorとを用いて優先度の判定を行うことが可能となる。【００２８】
また、図３（ｄ）には、ＤＵ２０が複数の異なるＰＷＳメッセージ（Write-Replace  Warning  Request）を同時に受信中に、さらに一部のＰＷＳメッセージの無線区間への送信の停止を指示するPWS  Cancel  Requestを受信した場合が例示されている。この場合に、ＤＵ２０は、ＣＵ１０から受信したPWS  Cancel  Requestに含まれるＰＷＳ識別子を用いて、停止対象のメッセージを特定して無線区間への送信を停止することが可能となる。【００２９】
次に、図４は、実施例に係るｇＮＢ４の機能的構成の一例を示す図である。図４に示すように、ｇＮＢ４は、ＣＵ１０とＤＵ２０とを有する。【００３０】
ＣＵ１０は、ＡＭＦ−ＣＵ間メッセージ送受信部１１と、メッセージ判定部１２と、ＡＭＦ−ＣＵ／ＣＵ−ＤＵメッセージ変換部１３と、ＣＵ−ＤＵ間メッセージ送受信部１５とを有する。また、ＣＵ１０は、メモリに優先度一覧１６を記憶する。【００３１】
ここで、図５は、優先度一覧１６のデータ構成の一例を示す図である。図５に示すように、優先度一覧１６は、ＰＷＳ識別子と優先度（ＰＷＳ優先度）との対応を示す情報である。図５には、例えば、ＰＷＳ識別子「１１，ａａ」のＰＷＳメッセージの優先度が「２」であることが示されている。なお、図５に示す例では、ＰＷＳ識別子は、ＰＷＳメッセージのMessage  IdentifierとSerial  Numberの組み合わせで表されている。例えば、ＰＷＳ識別子「１１，ａａ」とは、Message  Identifierが「１１」、Serial  Numberが「ａａ」であることを示している。【００３２】
なお、ＰＷＳ識別子は、ＰＷＳメッセージのMessage  IdentifierとSerial  Numberの組み合わせに限定されず、ＰＷＳメッセージを識別できればよく、例えばハッシュ値でもよい。優先度については後述する。【００３３】
図４の説明に戻る。ＡＭＦ−ＣＵ間メッセージ送受信部１１は、ＣＵ１０と上位網のＡＭＦ３との間の通信を制御する。メッセージ判定部１２は、ＡＭＦ３から受信したＰＷＳメッセージごとに、メッセージ種別に応じた処理を判定し、ＤＵ３０に送信するＰＷＳメッセージをＡＭＦ−ＣＵ／ＣＵ−ＤＵメッセージ変換部１３に引き渡す。【００３４】
ＡＭＦ−ＣＵ／ＣＵ−ＤＵメッセージ変換部１３は、メッセージ判定部１２から受信したメッセージに対して、メッセージ種別に応じた処理を行う。このＡＭＦ−ＣＵ／ＣＵ−ＤＵメッセージ変換部１３は、ＰＷＳメッセージ処理部１４を有する。【００３５】
ＰＷＳメッセージ処理部１４は、付加部として機能する。すなわち、ＰＷＳメッセージ処理部１４は、上位網から受信した報知情報であるＰＷＳメッセージに、該ＰＷＳメッセージのメッセージ種別に応じた処理を行った処理済みＰＷＳメッセージに、該ＰＷＳメッセージを識別する識別情報であるＰＷＳ識別子を付加する。【００３６】
また、ＰＷＳメッセージ処理部１４は、処理済みＰＷＳメッセージに、無線回線に接続するＤＵ２０が無線回線を用いて送信する優先順位を示す、ＰＷＳメッセージごとの所定の優先度情報をさらに付加する。【００３７】
ここで、図６は、実施例におけるＣＵ１０の動作の具体例を説明するための図である。図６には、ＣＵ１０がＡＭＦ３から、ＰＷＳメッセージとしてWrite-Replace  Warning  Requestを受信した場合が例示されている。図６に示すように、ＣＵ１０では、ＡＭＦ−ＣＵ／ＣＵ−ＤＵメッセージ変換部１３が、Write-Replace  Warning  Requestに特化した処理を行って、処理済みＰＷＳメッセージを作成する。例えば、ＡＭＦ−ＣＵ／ＣＵ−ＤＵメッセージ変換部１３は、受信したWrite-Replace  Warning  Requestの情報要素のうち、Message  IdentifierおよびSerial  Numberを含むＲＲＣレベルの情報をPWS  System  Informationにまとめる。【００３８】
また、ＰＷＳメッセージ処理部１４が、処理済みＰＷＳメッセージに、Message  IdentifierおよびSerial  Numberを付加する。さらに、ＰＷＳメッセージ処理部１４は、優先度情報としてPriority  Indicatorを付加する。このPriority  Indicatorは、Message  IdentifierおよびSerial  Numberに対応する優先度を示す情報要素である。ＰＷＳメッセージ処理部１４は、優先度一覧１６を参照して、Message  IdentifierおよびSerial  Numberに対応する優先度を特定し、特定した優先度の値をPriority  Indicatorに設定する。【００３９】
ここで、優先度とは、後述するように、ＤＵ２０が処理済みＰＷＳメッセージを無線回線に送信する優先順位を指定する値であり、予めＰＷＳメッセージごとに設定される値である。ＣＵ１０は、予めＯ＆Ｍ（運用・保守）装置やＡＭＦ３等の上位装置と連携して各ＰＷＳメッセージの優先度を設定し、優先度一覧１６として記憶する。このように、優先度情報を用いることにより、後述するように、ＤＵ２０が容易に優先度を判定できるようになる。【００４０】
なお、ＰＷＳメッセージ処理部１４は、例えば、PWS  Cancel  Requestには、優先度情報を付加しなくてもよい。【００４１】
また、ＣＵ１０は、ＤＵ２０との間で、予め優先度情報の設定の取り決めを行う。すなわち、ＣＵ１０とＤＵ２０とは、予めPriority  Indicatorの設定値に関する方式を共有しておく。例えば、ＤＵ２０は、自装置へ通知する優先度を５段階とする方式を指定したり、優先度の低いＰＷＳメッセージは通知しない方式を指定したりする。その場合には、ＣＵ１０は、例えば、方式ごとに優先度一覧１６を記憶しておき、ＤＵ２０から指定された方式に対応する優先度一覧１６を用いて、優先度情報を付加する。【００４２】
図７は、実施例におけるｇＮＢ４の動作の具体例を説明するための図である。図７には、ＣＵ１０とＤＵ２０との間で、F1  Setup  Procedureを利用して、優先度情報の設定の取り決めを行う場合が例示されている。図７に示すように、ＤＵ２０は、F1  Setup  Requestに、Priority  Indicator  Requestを付加する。Priority  Indicator  Requestは、例えば、上記の方式を指定するための情報要素である。【００４３】
そして、ＣＵ１０は、ＤＵ２０に返送するF1  Setup  Responseに、Priority  Informationを付加する。Priority  Informationは、Priority  Indicator  Requestに対する応答を示す情報要素であり、例えば、決定した方式を示す情報が設定される。【００４４】
なお、ＣＵ１０は、ＤＵ２０からF1  Setup  Requestを受信した後に、Ｏ＆Ｍ装置や上位装置と連携して、各ＰＷＳメッセージの優先度を設定してもよい。例えば、ＣＵ１０は、ＤＵ２０から指定された方式に対応する優先度一覧１６を作成する。【００４５】
また、ＣＵ１０とＤＵ２０との間の優先度情報の設定の取り決めは、F1  Setup  Procedureを利用して行う場合に限定されない。例えば、ＣＵ１０とＤＵ２０との間で、GNB-DU  Configuration  Update  Procedureを利用して、優先度情報の設定の取り決めを行ったり変更したりすることができる。その場合には、ＤＵ２０が、GNB-DU  Configuration  Updateに、Priority  Indicator  Requestを付加する。そして、ＣＵ１０が、ＤＵ２０に返送するGNB-DU  Configuration  AcknowledgeにPriority  Informationを付加する。また、ＣＵ１０は、ＤＵ２０からGNB-DU  Configuration  Updateを受信した後に、Ｏ＆Ｍ装置や上位装置と連携して、各ＰＷＳメッセージの優先度を設定してもよい。【００４６】
あるいは、ＣＵ１０とＤＵ２０との間で、GNB-CU  Configuration  Update  Procedureを利用して、優先度情報の設定の取り決めを行ったり変更したりすることができる。その場合には、ＣＵ１０は、予め、Ｏ＆Ｍ装置や上位装置と連携して、各ＰＷＳメッセージの優先度を設定しておく。そして、ＣＵ１０が、GNB-CU  Configuration  Updateに、Priority  Indicator  Requestを付加する。また、ＤＵ２０が、ＣＵ１０に返送するGNB-CU  Configuration  AcknowledgeにPriority  Informationを付加する。【００４７】
図４の説明に戻る。ＣＵ−ＤＵ間メッセージ送受信部１５は、ＣＵ１０とＤＵ２０との間の通信を制御する。例えば、ＣＵ−ＤＵ間メッセージ送受信部１５は、送信部として機能する。すなわち、ＣＵ−ＤＵ間メッセージ送受信部１５は、ＰＷＳメッセージ処理部１４によりＰＷＳ識別子が付加された処理済みＰＷＳメッセージを、無線回線に接続する他の通信装置であるＤＵ２０に送信する。【００４８】
ＤＵ２０は、ＣＵ−ＤＵ間メッセージ送受信部２１と、メッセージ判定部２２と、ＣＵ−ＤＵ／ＤＵ−ＲＲＣメッセージ変換部２３と、ＤＵ−ＲＲＣ間メッセージ送受信部２５とを有する。また、ＤＵ２０は、メモリにＲＲＣ送信ＰＷＳ一覧２６を記憶する。【００４９】
ここで、図８は、ＲＲＣ送信ＰＷＳ一覧２６のデータ構成の一例を示す図である。ＲＲＣ送信ＰＷＳ一覧２６は、ＤＵ２０が受信中のＰＷＳメッセージ（Write-Replace  Warning  Request）を管理するための情報であり、図８に示すように、受信中のWrite-Replace  Warning  RequestのＰＷＳ識別子とＰＷＳ優先度とを含む。図８には、例えば、ＤＵ２０が無線区間への送信対象として、ＰＷＳ識別子「１１，ａａ」、優先度「２」のメッセージを受信中であることが示されている。【００５０】
図４の説明に戻る。ＣＵ−ＤＵ間メッセージ送受信部２１は、ＣＵ１０とＤＵ２０との間の通信を制御する。例えば、ＣＵ−ＤＵ間メッセージ送受信部２１は、受信部として機能する。すなわち、ＣＵ−ＤＵ間メッセージ送受信部２１は、上位網から送信されたＰＷＳメッセージに、該ＰＷＳメッセージを識別するＰＷＳ識別子が付加され、該ＰＷＳメッセージのメッセージ種別に応じた処理が行われた処理済みＰＷＳメッセージを受信する。【００５１】
メッセージ判定部２２は、ＣＵ１０から受信した処理済みＰＷＳメッセージごとに、メッセージ種別に応じた処理を判定し、無線回線に送信する処理済みＰＷＳメッセージをＣＵ−ＤＵ／ＤＵ−ＲＲＣメッセージ変換部２３に引き渡す。【００５２】
ＣＵ−ＤＵ／ＤＵ−ＲＲＣメッセージ変換部２３は、メッセージ判定部２２から受信した処理済みＰＷＳメッセージに対して、メッセージ種別に応じた処理を行う。このＣＵ−ＤＵ／ＤＵ−ＲＲＣメッセージ変換部２３は、ＰＷＳメッセージ処理部２４を有する。【００５３】
ＰＷＳメッセージ処理部２４は、識別部として機能する。すなわち、ＰＷＳメッセージ処理部２４は、ＣＵ１０から受信した複数の処理済みＰＷＳメッセージのそれぞれに付加されているＰＷＳ識別子を用いて、処理済みＰＷＳメッセージを識別する。【００５４】
例えば、ＰＷＳメッセージ処理部２４は、ＣＵ１０から受信したPWS  Cancel  Requestに含まれるＰＷＳ識別子を用いて、停止対象のメッセージを識別する。これにより、例えば、ＤＵ２０が複数の異なるWrite-Replace  Warning  Requestを同時に受信中に、一部を対象とするPWS  Cancel  Requestを受信した場合に、ＤＵ２０が停止対象のメッセージを特定して無線区間への送信を停止することが可能となる（図３（ｄ）参照）。【００５５】
また、ＰＷＳメッセージ処理部２４は、受信した複数の処理済みＰＷＳメッセージのうち重複する処理済みＰＷＳメッセージを制御する重複判定を行う。例えば、ＰＷＳメッセージ処理部２４は、ＲＲＣ送信ＰＷＳ一覧２６を参照し、受信した複数のWrite-Replace  Warning  Requestのうち、ＰＷＳ識別子が一致するものを重複すると判定する。そして、ＤＵ２０は、２つ目以降の同一のWrite-Replace  Warning  Requestの無線区間への送信を停止することにより、無線区間へ不要なメッセージの送信を抑制することが可能となる。【００５６】
また、ＰＷＳメッセージ処理部２４は、さらに、処理済みＰＷＳメッセージに付加されている、無線回線を用いて送信する優先順位を示す、ＰＷＳメッセージごとの所定の優先度情報を用いて、無線回線を用いて送信する優先順位を制御する優先度判定処理を行う。例えば、ＰＷＳメッセージ処理部２４は、受信した複数のWrite-Replace  Warning  Requestのそれぞれに付加されているPriority  Indicatorの値を用いて、無線区間のリソースに空がある範囲で、優先度が高い順にメッセージを無線区間に送信する。【００５７】
具体的には、ＰＷＳメッセージ処理部２４は、ＲＲＣ送信ＰＷＳ一覧２６を参照し、無線区間への送信対象として受信中のWrite-Replace  Warning  Requestの中から、優先度が高い順にメッセージを無線区間に送信する。無線区間のリソースに空がない場合には、優先度の低いメッセージの送信を停止する。これにより、ＤＵ２０は、簡易な処理でＰＷＳメッセージの優先度を判定し、無線区間のリソースが少ない場合にも、優先度の高いメッセージを確実に無線区間に送信することが可能となる。【００５８】
また、ＰＷＳメッセージ処理部２４は、ＣＵ１０に送信するＰＷＳメッセージに、Message  Identifier及びSerial  Numberを付加する。例えば、ＰＷＳメッセージ処理部２４は、ＣＵ１０に返送するPWS  Cancel  Response等の応答のＰＷＳメッセージには、ＣＵ１０から受信したPWS  Cancel  Request等のＰＷＳメッセージと同じMessage  Identifier及びSerial  Numberを付加する。その際に、ＰＷＳメッセージ処理部２４は、Priority  Indicatorをそのまま付加してもよい。また、PWS  Restart  Indication等のセルの状態を示すＰＷＳメッセージについては、Message  Identifier及びSerial  Number、Priority  Indicatorのいずれも付加しなくてもよい。【００５９】
図４の説明に戻る。ＤＵ−ＲＲＣ間メッセージ送受信部２５は、ＤＵ２０とＵＥ５の間の通信を制御する。例えば、ＤＵ−ＲＲＣ間メッセージ送受信部２５は、Write-Replace  Warning  RequestのPWS  System  Informationを無線回線に送信することにより、ＵＥ５にメッセージを配信する。【００６０】
次に、本実施例における無線通信システム１の動作を説明する。図９は、実施例における無線通信システム１の動作の一例を説明するためのシーケンス図である。【００６１】
まず、ＣＵ１０とＤＵ２０とは、F1  Setup  Procedureを用いて、優先度情報の設定の取り決めを行う（ステップＳ１）。そして、ＣＵ１０は、取り決めに従って、ＤＵ２０に通知するＰＷＳの優先度情報を設定するための優先度一覧１６を作成する（ステップＳ２）。ＣＵ１０は、優先度情報の設定の取り決めの変更を行う場合には、例えば、GNB-CU  Configuration  Update  Procedureを用いる（ステップＳ３）。【００６２】
ＣＵ１０では、ＡＭＦ３からWrite-Replace  Warning  Requestを受信した場合に（ステップＳ４）、ＰＷＳメッセージ処理部１４が、必要な情報要素（ＩＥ、Information  Element）を設定する（ステップＳ５）。例えば、ＰＷＳメッセージ処理部１４は、ＡＭＦ−ＣＵ／ＣＵ−ＤＵメッセージ変換部１３で処理済みのWrite-Replace  Warning  Requestに、Message  IdentifierおよびSerial  Numberを付加する。また、ＰＷＳメッセージ処理部１４は、優先度一覧１６を用いて、優先度情報としてPriority  Indicatorを付加する。そして、ＣＵ−ＤＵ間メッセージ送受信部１５が、必要な情報要素が付加された、処理済みのWrite-Replace  Warning  Requestを、ＤＵ２０に送信する（ステップＳ６）。【００６３】
ＤＵ２０では、ＰＷＳメッセージ処理部２４が、ＣＵ１０から受信した複数の処理済みのWrite-Replace  Warning  Requestのそれぞれに付加されているMessage  IdentifierおよびSerial  Numberを用いて、Write-Replace  Warning  Requestを識別する。まず、ＰＷＳメッセージ処理部２４は、受信した複数の処理済みのWrite-Replace  Warning  Requestのうち重複するものを判定する重複判定を行う（ステップＳ７）。【００６４】
重複判定の結果、重複有りと判定された場合には（ステップＳ８、Ｎｏ）、ＰＷＳメッセージ処理部２４は、ステップＳ１３に処理を進める。ステップＳ１３の処理では、ＰＷＳメッセージ処理部２４は、ＣＵ−ＤＵ間メッセージ送受信部２１およびＣＵ１０を介して、ＣＵ１０およびＡＭＦ３に、重複のため無線区間に未送信の旨を示すWrite-Replace  Warning  Responseを返送する。【００６５】
一方、重複判定の結果、重複無しと判定された場合には（ステップＳ８、Ｙｅｓ）、ＰＷＳメッセージ処理部２４は、受信した複数の処理済みのWrite-Replace  Warning  Requestのそれぞれに付加されているPriority  Indicatorを用いて優先度判定を行う（ステップＳ９）。【００６６】
優先度判定の結果、無線区間への送信（ＲＲＣ通知）が不可能な場合には（ステップＳ１１、Ｎｏ）、ＰＷＳメッセージ処理部２４は、ステップＳ１４に処理を進める。ステップＳ１４の処理では、ＰＷＳメッセージ処理部２４は、ＣＵ−ＤＵ間メッセージ送受信部２１およびＣＵ１０を介して、ＣＵ１０およびＡＭＦ３に、優先度が低いため無線区間に未送信の旨を示すWrite-Replace  Warning  Responseを返送する。【００６７】
一方、優先度判定の結果、無線区間への送信が可能な場合には（ステップＳ１１、Ｙｅｓ）、ＤＵ−ＲＲＣ間メッセージ送受信部２５が、Write-Replace  Warning  RequestのPWS  System  Informationを無線回線に送信する（ＲＲＣ送信、ステップＳ１２）。またＰＷＳメッセージ処理部２４が、ステップＳ１５に処理を進める。ステップＳ１５の処理では、ＣＵ−ＤＵ間メッセージ送受信部２１およびＣＵ１０を介して、ＣＵ１０およびＡＭＦ３に、無線区間に送信が完了した旨を示すWrite-Replace  Warning  Responseを返送する。【００６８】
次に、図１０及び図１１は、ＤＵ２０の動作の一例を説明するためのフローチャートである。まず、図１０には、上記ステップＳ７の重複判定の処理手順が例示されている。ＣＵ−ＤＵ間メッセージ送受信部２１が、ＣＵ１０でＰＷＳ識別子及び優先度情報が付加され、メッセージ種別に応じた処理が行われた処理済みのＰＷＳメッセージを、ＣＵ１０から受信する（ステップＳ７１）。【００６９】
ＰＷＳメッセージ処理部２４は、受信した処理済みのＰＷＳメッセージに付加されているＰＷＳ識別子を読み出す（ステップＳ７２）。また、ＰＷＳメッセージ処理部２４は、ＲＲＣ送信ＰＷＳ一覧２６を参照し、読み出したＰＷＳ識別子と一致するＰＷＳ識別子の有無を確認する（ステップＳ７３〜Ｓ７４）。【００７０】
読み出したＰＷＳ識別子と一致するＰＷＳ識別子がＲＲＣ送信ＰＷＳ一覧２６にある場合には（ステップＳ７４、Ｙｅｓ）、ＰＷＳメッセージ処理部２４は、重複有りと判定する（ステップＳ７５）。一方、読み出したＰＷＳ識別子と一致するＰＷＳ識別子がＲＲＣ送信ＰＷＳ一覧２６にない場合には（ステップＳ７４、Ｎｏ）、ＰＷＳメッセージ処理部２４は、重複無しと判定する（ステップＳ７６）。【００７１】
また、図１１には、上記ステップＳ９の優先度判定の処理手順が例示されている。まず、ＰＷＳメッセージ処理部２４は、処理対象のＰＷＳメッセージを受信すると（ステップＳ９１）、無線区間のリソースに空があるかを確認する（ステップＳ９２）。無線区間のリソースに空がある場合には（ステップＳ９２、Ｙｅｓ）、ＰＷＳメッセージ処理部２４は、ステップＳ９８に処理を進める。一方、無線区間のリソースに空がない場合には（ステップＳ９２、Ｎｏ）、ステップＳ９３に処理を進める。【００７２】
ステップＳ９３の処理では、ＰＷＳメッセージ処理部２４は、受信したＣＵ１０で処理済みのＰＷＳメッセージに付加されているPriority  IndicatorからＰＷＳ優先度を読み出す。また、ＰＷＳメッセージ処理部２４は、ＲＲＣ送信ＰＷＳ一覧２６を参照し、読み出したＰＷＳ優先度より低いＰＷＳ優先度のＰＷＳメッセージの有無を確認する（ステップＳ９４〜Ｓ９５）。【００７３】
読み出したＰＷＳ優先度より低いＰＷＳ優先度のＰＷＳメッセージがない場合には（ステップＳ９５、Ｎｏ）、ＰＷＳメッセージ処理部２４は、無線区間への送信（ＲＲＣ通知）が不可能と判定する（ステップＳ１００）。【００７４】
一方、読み出したＰＷＳ優先度より低いＰＷＳ優先度のＰＷＳメッセージがある場合には（ステップＳ９５、Ｙｅｓ）、ＰＷＳメッセージ処理部２４は、読み出したＰＷＳ優先度より低いＰＷＳ優先度のＰＷＳメッセージの無線区間への送信（ＲＲＣ送信）を停止する（ステップＳ９６）。また、ＰＷＳメッセージ処理部２４は、ＲＲＣ送信ＰＷＳ一覧２６から、読み出したＰＷＳ優先度より低いＰＷＳ優先度のＰＷＳメッセージを削除する（ステップＳ９７）。【００７５】
また、ＰＷＳメッセージ処理部２４は、受信したＣＵ１０で処理済みのＰＷＳメッセージを、ＲＲＣ送信ＰＷＳ一覧２６に追記する（ステップＳ９８）とともに、無線区間への送信（ＲＲＣ通知）が可能と判定する（ステップＳ９９）。【００７６】
以上、本実施例によれば、ＣＵ１０は、上位網から受信したＰＷＳメッセージに、該ＰＷＳメッセージのメッセージ種別に応じた処理を行った処理済みＰＷＳメッセージに、該ＰＷＳメッセージを識別するＰＷＳ識別子を付加する。また、ＣＵ１０は、ＰＷＳ識別子が付加された処理済みＰＷＳメッセージを、ＤＵ２０に送信する。【００７７】
この場合に、ＤＵ２０は、上位網から送信されたＰＷＳメッセージに、該ＰＷＳメッセージを識別するＰＷＳ識別子が付加され、該ＰＷＳメッセージのメッセージ種別に応じた処理が行われた処理済みＰＷＳメッセージを受信することが可能となる。また、ＤＵ２０は、受信した複数の処理済みＰＷＳメッセージのそれぞれに付加されているＰＷＳ識別子を用いて、処理済みＰＷＳメッセージを識別することが可能となる。【００７８】
これにより、例えば、ｇＮＢ４が複数のWrite-Replace  Warning  Requestを受信中に、その一部の停止を指示するPWS  Cancel  Requestを受信した場合に、ＤＵ２０が停止対象のＰＷＳメッセージを特定することが可能となる。このように、ＲＲＣレベルの情報を読み出す機能を持たないＤＵ２０が、複数のＰＷＳメッセージを識別して処理を行うことが可能となる。【００７９】
また、ＤＵ２０が、受信した複数の処理済みＰＷＳメッセージのうち重複する処理済みＰＷＳメッセージを制御することが可能となる。したがって、ＤＵ２０は、例えば、受信した複数のWrite-Replace  Warning  Requestの重複判定を行って、無線区間への不要なメッセージの送信を抑制することが可能となる。【００８０】
また、本実施例によれば、ＣＵ１０は、処理済みＰＷＳメッセージに、ＤＵ２０が無線回線を用いて送信する優先順位を示す、ＰＷＳメッセージごとの所定の優先度情報をさらに付加する。この場合に、ＤＵ２０は、処理済みＰＷＳメッセージに付加されている優先度情報を用いて、無線回線を用いて送信する優先順位を制御することが可能となる。【００８１】
これにより、ＤＵ２０が、例えば、受信した複数のWrite-Replace  Warning  Requestの優先度の判定を、ＰＷＳ識別子を用いたりＯ＆Ｍ装置や上位装置と連携をとったりすることなく簡易に行える。その結果、ＤＵ２０が、無線区間のリソースに応じて、優先度の高いメッセージを確実に送信することが可能となる。【００８２】
［ハードウェア構成］
上記実施例におけるＣＵ１０及びＤＵ２０は、例えば、次のようなハードウェア構成により実現することができる。図１３は、ＣＵ１０およびＤＵ２０のハードウェア構成例を示す図である。図１３に示すように、ＣＵ１０は、プロセッサ１０ａと、メモリ１０ｂと、伝送路ＩＦ（Inter  Face）１０ｃとを有する。プロセッサ１０ａは、例えばＣＰＵ（Central  Processing  Unit）、ＦＰＧＡ（Field  Programmable  Gate  Array）又はＤＳＰ（Digital  Signal  Processor）等により構成される。メモリ１０ｂは、例えば、ＳＤＲＡＭ（Synchronous  Dynamic  Random  Access  Memory）等のＲＡＭ、ＲＯＭ（Read  Only  Memory)、フラッシュメモリにより構成される。伝送路ＩＦ１０ｃは、ＡＭＦ３やＤＵ２０等の他の装置との通信を行う回路である。ＡＭＦ−ＣＵ間メッセージ送受信部１１、メッセージ判定部１２、ＡＭＦ−ＣＵ／ＣＵ−ＤＵメッセージ変換部１３、ＰＷＳメッセージ処理部１４、及びＣＵ−ＤＵ間メッセージ送受信部１５は、例えばプロセッサ１０ａにより実現される。【００８３】
また、ＤＵ２０は、プロセッサ２０ａと、メモリ２０ｂと、伝送路ＩＦ（Inter  Face）２０ｃと、無線伝送ＩＦ２０ｄとを有する。プロセッサ２０ａは、例えばＣＰＵ（Central  Processing  Unit）、ＦＰＧＡ（Field  Programmable  Gate  Array）又はＤＳＰ（Digital  Signal  Processor）等により構成される。メモリ２０ｂは、例えば、ＳＤＲＡＭ（Synchronous  Dynamic  Random  Access  Memory）等のＲＡＭ、ＲＯＭ（Read  Only  Memory)、フラッシュメモリにより構成される。伝送路ＩＦ２０ｃは、ＣＵ１０等の他の装置との通信を行う回路である。無線伝送ＩＦ２０ｄは、アンテナを介してＵＥ５と無線通信する回路である。ＣＵ−ＤＵ間メッセージ送受信部２１、メッセージ判定部２２、ＣＵ−ＤＵ／ＤＵ−ＲＲＣメッセージ変換部２３、ＰＷＳメッセージ処理部２４、及びＤＵ−ＲＲＣ間メッセージ送受信部２５は、例えばプロセッサ２０ａにより実現される。
【符号の説明】
【００８４】
１  無線通信システム
２  ＣＢＣ
３  ＡＭＦ
４  ｇＮＢ
５  ＵＥ
１０  ＣＵ
１１  ＡＭＦ−ＣＵ間メッセージ送受信部
１２  メッセージ判定部
１３  ＡＭＦ−ＣＵ／ＣＵ−ＤＵメッセージ変換部
１４  ＰＷＳメッセージ処理部
１５  ＣＵ−ＤＵ間メッセージ送受信部
１６  優先度一覧
２０  ＤＵ
２１  ＣＵ−ＤＵ間メッセージ送受信部
２２  メッセージ判定部
２３  ＣＵ−ＤＵ／ＤＵ−ＲＲＣメッセージ変換部
２４  ＰＷＳメッセージ処理部
２５  ＤＵ−ＲＲＣ間メッセージ送受信部
２６  ＲＲＣ送信ＰＷＳ一覧
【図１】
2020065725.tif 000003
【図２】
2020065725.tif 000004
【図３】
2020065725.tif 000005
【図４】
2020065725.tif 000006
【図５】
2020065725.tif 000007
【図６】
2020065725.tif 000008
【図７】
2020065725.tif 000009
【図８】
2020065725.tif 000010
【図９】
2020065725.tif 000011
【図１０】
2020065725.tif 000012
【図１１】
2020065725.tif 000013
【図１２】
2020065725.tif 000014
【国際調査報告】
2020065725.tif 000015
2020065725.tif 000016
2020065725.tif 000017